(57)【要約】【課題】ユーザが画面上に表示されたポインタ（カーソル）等の指示子を移動させ、目的とする位置に適切に停止させることができる入力装置を提供する。【解決手段】センサ移動量を検出するセンサ部と、前記センサ部で検出したセンサ移動量を複数記憶する記憶部と、複数のセンサ移動量から外部操作手段の移動速度を計算する移動速度計算部と、移動速度計算部で計算された移動速度が減少しているとき、前記移動速度に応じてセンサ移動量に対する減少量を変化させるセンサ移動量処理部と、を備える。これにより、ユーザが画面上に表示された指示子を移動させ、目的とする位置に適切に停止させることができる。【選択図】図１
2011003121.tif 000002
【特許請求の範囲】
【請求項１】
センサ移動量を検出するセンサ部と、
前記センサ部で検出したセンサ移動量を複数記憶する記憶部と、
複数のセンサ移動量から外部操作手段の移動速度を計算する移動速度計算部と、
移動速度計算部で計算された移動速度が減少しているとき、前記移動速度に応じてセンサ移動量に対する減少量を変化させるセンサ移動量処理部と、
を有する入力装置。
【請求項２】
前記センサ移動量に対する減少量の変化度合いを変更する減少量変化部をさらに有することを特徴とする請求項１記載の入力装置。
【請求項３】
前記減少量変化部は、前記センサ部が前記外部操作手段の接触を検知している間に取得したセンサ移動量の積算値が、第1の積算閾値を超えた場合、センサ移動量に対する減少量の変化度合いを変更することを特徴とする請求項２記載の入力装置。
【請求項４】
前記減少量変化部は、前記センサ移動量の積算値が、前記第１の積算閾値よりも大きい第２の積算閾値を超えた場合、前記第１の積算閾値を超えた場合の前記センサ移動量に対する減少量の変化度合いと異なる変化度合いに変更することを特徴とする請求項３記載の入力装置。
【請求項５】
前記減少量変化部は、前記センサ部の領域に応じて、センサ移動量に対する減少量の変化度合いを変更することを特徴とする請求項２記載の入力装置。
【請求項６】
前記減少量変化部は、表示部に表示された指示子の表示位置に応じて、センサ移動量に対する減少量の変化度合いを変更することを特徴とする請求項２記載の入力装置。
【請求項７】
前記第１の積算閾値、前記第２の積算閾値、前記領域、または前記表示位置は、任意に変更可能なものであることを特徴とする請求項３乃至請求項５のいずれか一項に記載の入力装置。
【発明の詳細な説明】
【技術分野】
【０００１】
本発明は、入力指示を行うためのタッチパッドを備えた入力装置に関する。
【背景技術】
【０００２】
近年、携帯電話装置、携帯情報端末、携帯音楽プレーヤなどの各種電子機器は、ＰＣ（パーソナルコンピュータ）などと同様に、高性能化、多機能化、小型化が進んでおり、このような電子機器の進化に対応するため、入力指示を行う入力装置に関して様々な工夫が施されている。電子機器の入力装置として、最近では、操作面上の任意の位置を触れる操作をすることで入力指示を行うタッチパッドを備えたものが広く用いられつつある。
【０００３】
従来のＰＣの入力装置における操作性を向上するものとして、例えば特許文献１には、スティックタイプの入力装置を用いて操作した場合に、減算処理をするデータ処理部へ送信する直前のセンサ変化量ＤＴ１と、最新のセンサ変化量ＤＴ２とを比較して、センサ変化量ＤＴ２がセンサ変化量ＤＴ１に対して、所定の大きさだけ小さくなった場合に、センサ移動量を減少、もしくは間引くことでポインタを目的とする位置から行き過ぎることなく適切に停止させることのできる入力装置が開示されている。
【先行技術文献】
【特許文献】
【０００４】
【特許文献１】特開２００６−１２７３３８号公報
【発明の概要】
【発明が解決しようとする課題】
【０００５】
しかしながら、上記特許文献１をはじめとした従来の入力装置では、単にセンサ変化量を減少、もしくは間引くことでは、ポインタの移動速度が急激に遅くなるため、目的とする位置を行き過ぎることは少なくなるが、手前に停止することが多くなり、前記目的とする位置に適切に停止することができないという課題があった。
【０００６】
そこで、本発明では、上記課題を解決するためになされたものであり、ユーザが画面上に表示されたポインタ（カーソル）等の指示子を移動させ、目的とする位置に適切に停止させることができる入力装置を提供することを目的とする。
【課題を解決するための手段】
【０００７】
本発明の入力装置は、センサ移動量を検出するセンサ部と、前記センサ部で検出したセンサ移動量を複数記憶する記憶部と、複数のセンサ移動量から外部操作手段の移動速度を計算する移動速度計算部と、移動速度計算部で計算された移動速度が減少しているとき、前記移動速度に応じてセンサ移動量に対する減少量を変化させるセンサ移動量処理部と、を備えた構成を有する。
【０００８】
この構成により、ユーザが画面上に表示された指示子を移動させ、目的とする位置に適切に停止させることができるという効果を有する。
【０００９】
また、本発明の入力装置は、前記センサ移動量に対する減少量の変化度合いを変更する減少量変化部をさらに備えた構成を有する。
【００１０】
この構成により、移動速度に応じて減少量を変化させることにより指示子の移動速度が徐々に減速するため、本来停止すべき位置の手前で停止することを従来よりも緩和でき、画面上の指示子を目的とする位置に適切に停止させることができるという効果を有する。
【００１１】
また、本発明の入力装置は、前記減少量変化部が、前記センサ部が前記外部操作手段の接触を検知している間に取得したセンサ移動量の積算値が、第1の積算閾値を超えた場合、センサ移動量に対する減少量の変化度合いを変更する構成を有する。
【００１２】
この構成により、さらに、第１の積算閾値以下での距離の移動と、第１の積算閾値を超えた距離の移動との減少量の変化を変えることにより、２つの移動距離に適して指示子の移動速度が徐々に減速するため、近い距離（例えば、第１の積算閾値以下の距離）の移動でも、遠い距離（例えば、第１の積算閾値を超えた距離）の移動でも画面上の指示子を目的とする位置に適切に停止させることができるという効果を有する。
【００１３】
また、本発明の入力装置は、前記減少量変化部が、前記センサ移動量の積算値が、前記第１の積算閾値よりも大きい第２の積算閾値を超えた場合、前記第１の積算閾値を超えた場合の前記センサ移動量に対する減少量の変化度合いと異なる変化度合いに変更する構成を有する。
【００１４】
この構成により、さらに様々な移動距離に応じて減少量の変化を変えることにより、任意の移動距離に適して指示子の移動速度が徐々に減速するため、任意の移動距離でも画面上の指示子を目的とする位置に適切に停止させることができるという効果を有する。
【００１５】
また、本発明の入力装置は、前記減少量変化部が、前記センサ部の領域に応じて、センサ移動量に対する減少量の変化度合いを変更する構成を有する。
【００１６】
この構成により、外部操作手段が接触するセンサ面の領域に応じて減少量の変化を変えることにより、センサ面の端の領域（センサ面の端の領域では、センサ外部の領域との境界となるため、外部操作手段と接触するセンサ面が小さくなる。一方、センサの中央の領域では外部操作手段と接触するセンサ面は十分大きいので、領域よってセンサセンシング能力が異なる）であっても移動速度が徐々に減速するため、画面上の指示子を目的とする位置に適切に停止させることができるという効果を有する。
【００１７】
また、本発明の入力装置は、前記減少量変化部は、表示部に表示された指示子の表示位置に応じて、センサ移動量に対する減少量の変化度合いを変更する構成を有する。
【００１８】
この構成により、画面上の指示子を表示する領域に応じて減少量の変化を変えることにより、例えば、画面上の表示の字の大きさが異なっており、指示子が最も小さい字の領域を移動する場合であっても移動速度が徐々に減速するため、画面上の指示子を目的とする位置に適切に停止させることができるという効果を有する。
【００１９】
また、本発明の入力装置は、前記第１の積算閾値、前記第２の積算閾値、前記領域、または前記表示位置が任意に変更可能なものである構成を有する。
【００２０】
この構成により、個々のユーザが自身に最も適した減速処理を選択することで、画面上の指示子を目的とする位置に適切に停止させることができるという効果を有する。
【発明の効果】
【００２１】
本発明によれば、画面上に表示されたポインタ（カーソル）等の指示子を移動させ、目的とする位置に適切に停止させることができる。
【図面の簡単な説明】
【００２２】
【図１】本発明の実施の形態１に係る入力装置の構成を示すブロック図
【図２】本発明の実施の形態１に係る入力装置の動作手順を示すフローチャート
【図３】本発明の実施の形態１に係る減少量の変化（減少パターン）を示す図
【図４】本発明の実施の形態２、３、４に係る入力装置の構成を示すブロック図
【図５】本発明の実施の形態２に係る入力装置の動作手順を示すフローチャート
【図６】本発明の実施の形態３に係る入力装置のセンサ面を示す外観図
【図７】本発明の実施の形態３に係る入力装置の動作手順を示すフローチャート
【図８】本発明の実施の形態４に係る入力装置の出力を表示する表示部の画面例を示す図
【図９】本発明の実施の形態４に係る入力装置の動作手順を示すフローチャート
【発明を実施するための形態】
【００２３】
以下、本発明を実施するための最良の形態について、図面を参照して詳細に説明する。
（実施の形態１）
図１は、本発明の実施の形態１に係る入力装置の構成を示すブロック図である。
【００２４】
図示したとおり、入力装置は、センサ部１０１、記憶部１０２、移動速度計算部１０３、センサ移動量処理部１０４、および表示制御部１０５から構成されている。
【００２５】
センサ部１０１は、例えば、指、スタイラスペン等の外部操作手段が、センサ面に接触することでセンサ移動量を検出する。
【００２６】
記憶部１０２は、前記センサ部１０１で検出したセンサ移動量を複数記憶する。
【００２７】
移動速度計算部１０３は、前記記憶部１０２に記憶している複数のセンサ移動量から外部操作手段の移動速度を計算する。
【００２８】
センサ移動量処理部１０４は、前記移動速度計算部１０３で計算された移動速度が減少しているとき、例えば、時刻Ｔ１の移動速度と時刻Ｔ２の移動速度（Ｔ１＜Ｔ２）を比較し、Ｔ２の値が小さいとき、前記Ｔ２の移動速度に応じてセンサ移動量に対する減少量を決定し、センサ移動量を減少させる。また、センサ移動量処理部１０４は、前記移動速度に応じてセンサ移動量に対する減少量を変化させる。
【００２９】
表示制御部１０５は、前記センサ移動量処理部１０４にて減少されたセンサ移動量をポインタ（カーソル）等の指示子（以下、ポインタとして説明する）の移動量とし、ポインタ座標に加算し、移動後の前記ポインタ座標を算出する。
【００３０】
表示部１０６は、前記表示制御部１０５で算出された移動後の前記ポインタ座標画面上と一致する画面上の座標位置にポインタを表示する。
【００３１】
図２は、本発明の実施の形態１に係る入力装置の動作手順を示すフローチャートである。
【００３２】
まず、センサ移動量処理部１０４は、移動速度計算部１０３にて計算された移動速度が減少しているか否かを判定する（ステップS１０１）。
【００３３】
ここで、センサ移動量処理部１０４は、移動速度が減少していると判定した場合（ステップＳ１０１、Ｙｅｓ）、移動速度と第１の減少閾値（移動速度に応じた減少量を選択するに当たり、判断するための閾値）との大きさを比較する（ステップS１０２）。
【００３４】
一方、センサ移動量処理部１０４は、移動速度が減少していないと判定した場合（ステップＳ１０１、Ｎｏ）、処理を終了する。
【００３５】
次に、センサ移動量処理部１０４は、移動速度が第１の減少閾値よりも大きい場合には（ステップＳ１０２、Ｙｅｓ）、第１の減少量でセンサ移動量を減少させ（ステップS１０３）、処理を終了する。
【００３６】
一方、センサ移動量処理部１０４は、移動速度が第１の減少閾値よりも小さい場合には（ステップＳ１０２、Ｎｏ）、第２の減少量でセンサ移動量を減少させ（ステップS１０４）、処理を終了する。
【００３７】
これにより、移動速度に応じて減少量を変化させることにより指示子の移動速度が徐々に減速するため、本来停止すべき位置の手前で停止することを従来よりも緩和でき、画面上の指示子を目的とする位置に適切に停止させることができる。
【００３８】
図３（ａ）〜図３（ｄ）は、本発明の実施の形態１に係る減少量の変化を示す図である。
【００３９】
図３（ａ）〜図３（ｄ）に示す、パターン１〜４は、減少処理を実施する前の移動量である通常曲線と比較して、減少処理を実施した後の移動量である減少曲線の移動量を小さくしている。移動量を小さくすることでポインタの移動が遅くなるため、目的とする位置に停止することが可能となる。
【００４０】
図３（ａ）に示すパターン１は、前記通常曲線から急激に前記減少曲線に変更するが、その後、前記減少曲線が緩やかな曲線にて推移することで減少処理後でも少量のポインタの移動が可能となる。
【００４１】
図３（ｂ）に示すパターン２は、前記通常曲線から急激に前記減少曲線に変更し、その後、前記減少曲線が急激な曲線にて推移することで減少処理後に前記センサ移動量が小さくなり目的とする位置に停止することが可能となる。
【００４２】
図３（ｃ）に示すパターン３は、前記通常曲線から滑らかに前記減少曲線に変更し、その後、前記減少曲線が緩やかな曲線に推移することで減少処理に移行したことをユーザに気づかせることなく、目的とする位置に停止することが可能となる。また、減少処理後でも少量のポインタの移動が可能となる。
【００４３】
図３（ｄ）に示すパターン４は、前記通常曲線から滑らかに前記減少曲線に変更し。その後、前記減少曲線が急激な曲線にて推移することで減少処理に移行したことをユーザに気づかせることなく、また、減少処置処理後に前記センサ移動量が小さくなり、目的とする位置に停止することが可能となる。
【００４４】
パターン１〜４に示したように、前記センサ移動量に対する減少量の変化を変えることにより目的とする位置に停止することが可能となる。
【００４５】
このように、本実施の形態１によれば、様々な条件に応じて減少量を変化させることにより、全ての条件下において徐々に減速するため、任意の移動距離でも画面上の指示子を目的とする位置に適切に停止させることができる。
（実施の形態２）
本発明の実施の形態２は、既に説明した本発明の実施の形態１における減少量の変化度合いをセンサ移動量の積算値に応じて変更する点に特徴がある。
【００４６】
図４は、本発明の実施の形態２に係る入力装置の構成を示すブロック図である。
【００４７】
図４において、入力装置は、図１に示す本発明の実施の形態１における入力装置の構成に加えて、減少量変化部１０７を有する。
【００４８】
減少量変化部１０７は、センサ移動量に対する減少量の変化度合いをセンサ移動量の積算値に応じて変更する。ここでの変化度合いを変更するとは、図３で示した変化パターンを変えることではなく、１つのパターンの減少量の変化の傾きを変えることを意味している。
【００４９】
図５は、本発明の実施の形態２に係る入力装置の動作手順を示すフローチャートである。
【００５０】
まず、減少量変化部１０７は、移動速度計算部１０３にて計算された移動速度が減少しているか否かを判定する（ステップS２０１。
【００５１】
ここで、減少量変化部１０７は、移動速度が減少していると判定した場合（ステップＳ２０１、Ｙｅｓ）、前記センサ部が前記外部操作手段による接触の検知を継続しているか否かを判定する（ステップＳ２０２）。
【００５２】
一方、減少量変化部１０７は、移動速度が減少していないと判定した場合（ステップＳ２０１、Ｎｏ）、処理を終了する。
【００５３】
次に、センサ部が外部操作手段による接触の検知を継続している場合（ステップＳ２０２、Ｙｅｓ）、減少量変化部１０７は、センサ移動量を積算する（ステップＳ２０３）。
【００５４】
一方、センサ部が外部操作手段による接触の検知を継続していない場合（ステップＳ２０２、Ｎｏ）、減少量変化部１０７は、センサ移動量の積算をリセットする（ステップＳ２０７）。
【００５５】
次に、減少量変化部１０７は、センサ移動量の積算値と第１の積算閾値とを比較する（ステップＳ２０４）。
【００５６】
ここで、減少量変化部１０７が、センサ移動量の積算値が前記第１の積算閾値よりも小さいと判定した場合（ステップＳ２０４、Ｙｅｓ）、移動速度と前記第１の減少閾値とを比較する（ステップＳ２０５）
さらに、センサ移動量処理部１０４が、移動速度が前記第１の減少閾値より大きいと判定した場合（ステップＳ２０５、Ｙｅｓ）、センサ移動量処理部１０４は、第１の減少量でセンサ移動量を減少させ（ステップＳ２０６）、処理を終了する。
【００５７】
また、センサ移動量処理部１０４が、移動速度が前記第１の減少閾値より小さいと判定した場合（ステップＳ２０５、Ｎｏ）、センサ移動量処理部１０４は、第２の減少量でセンサ移動量を減少させ（ステップＳ２０８）、処理を終了する。
【００５８】
一方、センサ移動量処理部１０４が、センサ移動量の積算値が前記第１の積算閾値よりも大きいと判定した場合（ステップＳ２０４、Ｎｏ）、移動速度と前記第１の減少閾値とを比較する（ステップＳ２０９）。
【００５９】
さらに、センサ移動量処理部１０４が、移動速度が前記第１の減少閾値より大きいと判定した場合（ステップＳ２０９、Ｙｅｓ）、センサ移動量処理部１０４は、第３の減少量でセンサ移動量を減少させ（ステップＳ２１０）、処理を終了する。
【００６０】
また、センサ移動量処理部１０４が、移動速度が前記第１の減少閾値より小さいと判定した場合（ステップＳ２０９、Ｎｏ）、センサ移動量処理部１０４は、第４の減少量でセンサ移動量を減少させ（ステップＳ２１１）、処理を終了する。
【００６１】
このように、本実施の形態２によれば、様々な移動距離に応じて減少量の変化度合いを変更することにより、任意の移動距離に適して指示子の移動速度が徐々に減速するため、任意の移動距離でも画面上の指示子を目的とする位置に適切に停止させることができる。
（実施の形態３）
本発明の実施の形態３は、既に説明した本発明の実施の形態２における減少量変化部１０７がセンサ部１０１の領域に応じて減少量の変化度合いを変更する点に特徴がある。
【００６２】
本発明の実施の形態３における入力装置の構成のうち、上記実施の形態２の同様の構成については、重複した説明を省略する。
【００６３】
減少量変化部１０７は、センサ移動量に対する減少量の変化度合いをセンサ部１０１の領域に応じて変更する。
【００６４】
図６は、本発明の実施の形態３に係る入力装置のセンサ部１０１を示す外観図である。
【００６５】
図６に示すセンサ部１０１は、領域３００と領域３０１とを有している。ここで、減少量変化部１０７は、減少量の変化度合いを変更するセンサ部１０１の領域３００において、外部操作手段の接触を検知した場合には、センサ移動量に対する減少量の変化度合いを変更する。一方、減少量変化部１０７は、減少量の変化度合いを変更しないセンサ部１０１の領域３０１において、外部操作手段の接触を検知した場合には、センサ移動量に対する減少量の変化度合いを変更しない。
【００６６】
これにより、外部操作手段が接触するセンサ部の領域に応じて減少量の変化度合いを変更することにより、センサ部の端の領域（センサ面の端の領域では、センサ外部の領域との境界となるため、外部操作手段と接触するセンサ面が小さくなる。一方、センサの中央の領域では外部操作手段と接触するセンサ面は十分大きいので、領域よってセンサセンシング能力が異なる）であっても移動速度が徐々に減速するため、画面上の指示子を目的とする位置に適切に停止させることができる。
【００６７】
図７は、本発明の実施の形態３に係る入力装置の動作手順を示すフローチャートである。
【００６８】
まず、減少量変化部１０７は、移動速度計算部１０３にて計算された移動速度が減少しているか否かを判定する（ステップＳ３０１）。
【００６９】
ここで、減少量変化部１０７は、移動速度が減少していると判定した場合（ステップＳ３０１、Ｙｅｓ）、前記センサ部が前記外部操作手段による接触を検知し、減少量を変更するセンサ部の領域での接触か否かを判定する（ステップＳ３０２）。
【００７０】
一方、減少量変化部１０７は、移動速度が減少していないと判定した場合（ステップＳＳ３０１、Ｎｏ）、処理を終了する。
【００７１】
次に、減少量変化部１０７は、センサ部が外部操作手段によるセンサ部の減少量の変化の度合いを変更する領域以外での接触を検知した場合（ステップＳ３０２、Ｎｏ）、センサ移動量処理部１０４は、移動速度と第１の減少閾値とを比較する（ステップＳ３０３）。
【００７２】
一方、減少量変化部１０７は、センサ部が外部操作手段によるセンサ部の減少量の変化の度合いを変更する領域で接触を検知した場合（ステップＳ３０２、Ｙｅｓ）、センサ移動量処理部１０４は、移動速度と第１の減少閾値とを比較する（ステップＳ３０６）。
【００７３】
次に、センサ移動量処理部１０４は、移動速度が第１の減少閾値より大きいと判定した場合（ステップＳ３０３）、センサ移動量処理部１０４は、第1の減少量でセンサ移動量を減少させ（ステップＳ３０４）、処理を終了する。
【００７４】
一方、センサ移動量処理部１０４は、移動速度が第１の減少閾値より小さいと判定した場合（ステップＳ３０３）、センサ移動量処理部１０４は、第２の減少量でセンサ移動量を減少させ（ステップＳ３０５）、処理を終了する。
【００７５】
さらに、センサ移動量処理部１０４は、移動速度が第１の減少閾値より大きいと判定した場合（ステップＳ３０６）、センサ移動量処理部１０４は、第1の減少量でセンサ移動量を減少させ（ステップＳ３０７）、処理を終了する。
【００７６】
一方、センサ移動量処理部１０４は、移動速度が第１の減少閾値より小さいと判定した場合（ステップＳ３０６）、センサ移動量処理部１０４は、第２の減少量でセンサ移動量を減少させ（ステップＳ３０８）、処理を終了する。
【００７７】
このように、本実施の形態３によれば、外部操作手段が接触するセンサ面の領域に応じて減少量の変化度合いを変更することにより、センサ部の端の領域（センサ面の端の領域では、センサ外部の領域との境界となるため、外部操作手段と接触するセンサ面が小さくなる。一方、センサの中央の領域では外部操作手段と接触するセンサ面は十分大きいので、領域よってセンサセンシング能力が異なる）であっても移動速度が叙情に減速するため、画面上の指示子を目的とする位置に適切に停止させることができる。
（実施の形態４）
本発明の実施の形態４は、既に説明した本発明の実施の形態２における減少量変化部１０７が画面上の指示子の表示領域に応じて減少量の変化度合いを変更する点に特徴がある。
【００７８】
本発明の実施の形態４における入力装置の構成のうち、上記実施の形態２の構成と同様の構成については、重複した説明は省略する。
【００７９】
減少量変化部１０７は、センサ移動量に対する減少量の変化度合いを画面上の指示子の表示領域に応じて変更する。
【００８０】
図８は、本発明の実施の形態４に係る入力装置の出力を表示する表示部の画面例を示す図である。
【００８１】
図８に示す表示部１０６は、画面上に領域４００と領域４０１とを表示している。ここで、減少量変化部１０７は、減少量の変化度合いを変更する表示部１０６の領域４００に指示子が表示されている場合には、センサ移動量に対する減少量の変化度合いを変更する。一方、減少量変化部１０７は、減少量の変化度合いを変更しない表示部１０６の領域４０１に指示子が表示されている場合には、センサ移動量に対する減少量の変化度合いを変更しない。
【００８２】
これにより、画面上の指示子を表示する領域に応じて減少量の変化度合いを変更することにより、例えば、画面上の表示がの字の大きさが異なっており、指示子が最も小さい字の領域を移動する場合であっても移動速度が徐々に減速するため、画面上の指示子を目的とする位置に適切に停止させることができる。
【００８３】
図９は、本発明の実施の形態４に係る入力装置の動作手順を示すフローチャートである。
まず、減少量変化部１０７は、移動速度計算部１０３にて計算された移動速度が減少しているか否かを判定する（ステップＳ４０１）。
【００８４】
ここで、減少量変化部１０７は、移動速度が減少していると判定した場合（ステップＳ４０１、Ｙｅｓ）、表示制御部１０５から取得した画面上の指示子の表示している領域に応じて減少量の変化の度合いを変更か否かを判定する（ステップＳ４０２）。
【００８５】
一方、減少量変化部１０７は、移動速度が減少していないと判定した場合（ステップＳＳ４０１、Ｎｏ）、処理を終了する。
【００８６】
次に、減少量変化部１０７は、画面上の指示子が減少量の変化の度合いを変更する画面の領域以外での表示の場合（ステップＳ４０２、Ｎｏ）、センサ移動量処理部１０４は、移動速度と第１の減少閾値とを比較する（ステップＳ４０３）。
【００８７】
一方。減少量変化部１０７は、画面上の指示子が減少量の変化の度合いを変更する領域での表示の場合（ステップＳ４０２、Ｙｅｓ）、センサ移動量処理部１０４は、移動速度と第１の減少閾値とを比較する（ステップＳ４０６）。
【００８８】
次に、センサ移動量処理部１０４は、移動速度が第１の減少閾値より大きいと判定した場合（ステップＳ４０３）、センサ移動量処理部１０４は、第1の減少量でセンサ移動量を減少させ（ステップＳ４０４）、処理を終了する。
【００８９】
一方、センサ移動量処理部１０４は、移動速度が第１の減少閾値より小さいと判定した場合（ステップＳ４０３）、センサ移動量処理部１０４は、第２の減少量でセンサ移動量を減少させ（ステップＳ４０５）、処理を終了する。
【００９０】
さらに、センサ移動量処理部１０４は、移動速度が第１の減少閾値より大きいと判定した場合（ステップＳ４０６）、センサ移動量処理部１０４は、第1の減少量でセンサ移動量を減少させ（ステップＳ４０７）、処理を終了する。
【００９１】
一方、センサ移動量処理部１０４は、移動速度が第１の減少閾値より小さいと判定した場合（ステップＳ４０６）、センサ移動量処理部１０４は、第２の減少量でセンサ移動量を減少させ（ステップＳ４０８）、処理を終了する。
【００９２】
このように、本実施の形態４によれば、画面上の指示子を表示する領域に応じて減少量の変化度合いを変更することにより、画面上の表示が字の大きさが異なっており、指示子が最も小さい字の領域を移動する場合であっても移動速度が徐々に減速するため、画面上の指示子を目的とする位置に適切に停止させることができる。
【産業上の利用可能性】
【００９３】
以上のように、本発明に係る入力装置は、画面上に表示されたポインタ（カーソル）を移動させ、目的とする位置に適切に停止することができるという効果を有し、携帯電話装置、ＰＣ（パーソナルコンピュータ）等の各種電子機器に有用である。
【符号の説明】
【００９４】
１００    センサ部
１０２    記憶部
１０３    移動速度計算部
１０４    センサ移動量処理部
１０５    表示制御部
１０６    表示部
１０７    減少量変化部
【図１】
2011003121.tif 000003
【図２】
2011003121.tif 000004
【図３】
2011003121.tif 000005
【図４】
2011003121.tif 000006
【図５】
2011003121.tif 000007
【図６】
2011003121.tif 000008
【図７】
2011003121.tif 000009
【図８】
2011003121.tif 000010
【図９】
2011003121.tif 000011